(57)【特許請求の範囲】
【請求項１】
陰唇間に挟まれて使用される陰唇間パッドであって、
対向する一対の陰唇内壁と装着状態において接する一対の側部と、当該一対の側部同士を連結し、装着状態において陰唇内奥に接する頂部と、装着状態で前記頂部の鉛直下方に位置する底部とを備え、内部に配置された吸収体の前記側部側、前記頂部側、前記底部側を表面側シートで被覆した枕形状を有するものであり、
前記頂部は、陰唇前方と接する前端部と、当該前端部の対極に位置する後端部と、を備え、
前記一対の側部の前記頂部側の間隔であり、前記頂部が前記側部のそれぞれと接する２点間を結ぶ仮想水平線の長さである前記頂部の幅は、前記後端部において前記前端部よりも狭く、前記後端部が鋭利形状となっており、
前記一対の側部における下方部分の間隔である前記底部の幅は、前記頂部の幅と同等以下である陰唇間パッド。
【請求項２】
前記頂部は、前記後端部における角度が前記前端部よりも小さいものである請求項１に記載の陰唇間パッド。
【請求項３】
前記後端部における頂部の角度は、２°から４５°であり、前記前端部における頂部の角度は、３０°から１５０°である請求項２に記載の陰唇間パッド。
【請求項４】
前記後端部における頂部の幅は、０．５ｍｍから５ｍｍであり、前記前端部における頂部の幅は、３ｍｍから１５ｍｍである請求項１から３のいずれか１項に記載の陰唇間パッド。
【発明の詳細な説明】
【技術分野】
【０００１】
本発明は、体液を吸収する吸収体が被覆シートに覆われてなる生理用品であって、陰唇間に挟みこまれて使用される陰唇間パッドに関し、特に陰唇間への装着が容易な陰唇間パッドに関する。
【背景技術】
【０００２】
従来より、女性用生理用品として、生理用ナプキン、タンポンが一般的に用いられている。ここで、生理用ナプキンについては、膣口付近への密着性の乏しさゆえに生じる隙間からの経血の漏れを防ぐべく、多大な努力が払われている。また、タンポンについても、その物品の属性に起因して、着用時の異物感や不快感、膣内への装着困難性を生じることから、これらを除去するために種々の工夫が行なわれている。
【０００３】
このような状況下、生理用ナプキンやタンポンの中間に位置する生理用品として、近年、陰唇間パッドと称される生理用品が注目されるようになってきている。この陰唇間パッドは、女性の陰唇間にその一部分を挟み込み、陰唇内面に当接させて装着する。したがって、陰唇間パッドは、生理用ナプキンに比して身体との密着性が高いために経血の漏れが防止されるとともに、経血が拡散して身体に広く接することを防ぐために衛生的かつ清潔である。また、生理用ナプキンよりも小型であるために、装着感に優れて快適であり、膣内に挿入するタンポンに比べて着用時の心理抵抗も低いという特徴を有している。
【０００４】
しかしながら、陰唇間パッドは目視困難な陰唇間に装着するものであるため、生理用ナプキンよりも装着が難しいという難点がある。しかも、適切な位置に装着されなかった場合には、生理用ナプキンよりもサイズが小さいために、漏れによる被害が甚大である。また、装着ミスの可能性はタンポンよりも高い。
【０００５】
このような陰唇間パッドの装着困難性の改善を図ったものとしては、特許文献１が挙げられる。特許文献１には、体液を透過させる液透過性の表面側シートと、体液を実質的に透過させない難透水性の裏面側シートと、これらのシート間に内包された吸収体と、を備える陰唇間パッドが開示されている。この陰唇間パッドは、表面側シートに覆われた面が身体と接触する面となり、表面側シートとは反対側の面を覆う裏面側シートには、半円状の突起で構成された挟持部が設けられている。挟持部は、陰唇間パッドを陰唇間に装着するために設けられ、この陰唇間パッドによれば、着用者は当該挟持部を指で摘んで陰唇間パッドを装着できるので、当該挟持部がない場合よりは装着が容易であると考えられる。
【０００６】
しかしながら、挟持部を摘んだだけでは、陰唇間パッドが陰唇内に十分に密着するように押しあてることは難しい。また、上記の構造では、挟持部を指で摘んだ状態で装着しようとすると、陰唇間は非常に狭い部位であるため、指の厚み分を陰唇間に進入させることは困難であり、無理に進入させると陰唇間パッドが変形した状態で装着されてしまう。このため、陰唇内壁と陰唇間パッドとの間に隙間が発生し、経血漏れの危険性や陰唇間パッドが陰唇から脱落してしまう恐れがある。
【０００７】
また、特許文献１に開示された陰唇間パッドでは、装着ポイントの探知が着用者の爪の先で行われることになるため、実際には、着用者の勘に頼って装着せざるを得ず、着用者が適切な装着ポイントを把握するのは容易ではない。特に、着用者が爪を長く伸ばしていたり、付け爪を着用していたりする場合には、上記従来の陰唇間パッドを適切な場所に装着させるのは極めて困難である。
【０００８】
このように、特許文献１に記載された陰唇間パッドは、装着ポイントを的確に把握することによる装着の容易化、装着ミスの低減あるいは陰部への十分な密着を可能とするまでには至っていない。更には、依然として装着の際に経血等が指先に付着するなどの事態も生じ得、陰唇間パッドを使用する際に抵抗感が生ずる一因となっている。
【特許文献１】国際公開第ＷＯ９９／５６６８９号パンフレット
【発明の開示】
【発明が解決しようとする課題】
【０００９】
以上述べた通り、従来の陰唇間パッドでは陰唇内を傷付けることを防止して、容易に装着ポイントを探知することが困難であった。この問題に対し、本発明者らは、陰唇の形状は、前方は長くて厚く、後方は短くて薄いという肉づきとなっているため、陰唇の後方は開き易いということに着目して、本発明を完成した。
【００１０】
本発明は上記課題に鑑みてなされたものであり、陰唇内を傷付けることを防止し、かつ容易に装着できる陰唇間パッドを提供することを目的とする。具体的には、本発明は、陰唇の後方から進入し始め陰唇間に装着されることによって、容易かつ確実な位置に装着できる陰唇間パッドを提供することを目的とする。
【課題を解決するための手段】
【００１１】
本発明は以下のようなものを提供する。
【００１２】
（１）  陰唇間に挟まれて使用される陰唇間パッドであって、対向する一対の陰唇内壁と装着状態において接する一対の側部と、当該一対の側部同士を連結し、装着状態において陰唇内奥に接する頂部と、を備えるものであり、前記頂部は、陰唇前方と接する前端部と、当該前端部の対極に位置する後端部と、を備え、少なくとも前記後端部が鋭利形状である陰唇間パッド。
【００１３】
本発明によれば、陰唇間パッドは陰唇内奥に接する頂部を具備している。この頂部は、陰唇において腹側に位置する陰唇前方と接する前端部と、この前端部の対極側に位置して背側に位置する陰唇後方と接する後端部と、を備えており、本発明では少なくとも後端部が、幅の狭い鋭利形状となっている。なお、「鋭利形状」とは、幅が狭く、前端部の形状に比して後端部の形状が相対的に鋭利になっていることを意味する。
【００１４】
これにより、陰唇間パッドを後方の陰唇間に進入し易くし、陰唇の後方から前方に向かって陰唇の間を開きながら陰唇間パッドを装着できるようにした。このため、陰唇間パッドを陰唇に挿入する際、過度に指に力を加える必要が無く、陰唇間パッドの変形を防止して、陰唇内壁と陰唇間パッドとの間に隙間が生じることが防止できる。また、陰唇間パッドを容易に装着位置に装着でき、陰唇間パッドの装着の際に、陰唇内を傷付けてしまう危険性を回避できる。
【００１５】
陰唇間パッドは、女性の陰唇間に狭持できる形状であれば任意の形状とすることができ、例えば、後述する（４）のように略平板状の吸収体が被覆シートに覆われた平板状としてもよく、厚みを有する吸収体が被覆シートに覆われた枕状のものとしてもよい。平板状の陰唇間パッドは、長手方向のほぼ中央で二つ折りにされ、折り目から陰唇内に挿入され、折り目の両側に位置する吸収体の部分が陰唇内壁に接する状態で装着される。この平板状の陰唇間パッドの場合、折り目に沿って頂部が形成され、この頂部の両側に位置して陰唇内壁に接する吸収体の部分が側部となる。
【００１６】
一方、枕状の陰唇間パッドは、一対の対向する略平板状の面が陰唇内壁に接する側部となり、これら側部の一端縁同士を連結する辺縁部分に頂部が形成され、枕状の陰唇間パッドはこの頂部から陰唇内奥に挿入される。
【００１７】
（２）  前記頂部は、前記後端部における角度が前記前端部よりも小さいものである（１）に記載の陰唇間パッド。
【００１８】
本発明によれば、陰唇間パッドの頂部の後端部は、前端部より角度が小さく、尖っている。すなわち、すなわち前端部は、後端部よりなだらかな形状となっている。このため、陰唇間パッドを、尖った後端部から容易に陰唇間に挿入できる。
【００１９】
（３）  前記後端部における頂部の角度は、２°から４５°であり、前記前端部における頂部の角度は、３０°から１５０°である（２）に記載の陰唇間パッド。
【００２０】
本発明によれば、鋭利形状とされた頂部の角度が、後端部が２〜４５°、前端部が３０〜１５０°である。頂部の角度がこの範囲であれば、陰唇間パッドの陰唇間への挿入を容易とでき、かつ、陰唇間パッドが陰唇間に確実に狭持される形状が保持される。
【００２１】
（４）  前記陰唇間パッドは、体液を吸収する略平板状の吸収体と、当該吸収体の一方面を被覆し、装着状態において身体に接する表面側シートと、前記吸収体の他方面を被覆する裏面側シートと、から構成されるものであって、前記頂部は、前記裏面側シート同士が対向するように前記陰唇間パッドが二つ折りにされて形成されるものであり、前記頂部における前記後端部は、前記裏面側シート同士が接着されることにより、鋭利形状に形成されるものである（１）から（３）いずれかに記載の陰唇間パッド。
【００２２】
本発明によれば、略平板状の吸収体が被覆シートで覆われている。このような陰唇間パッドは、幅方向の略中心部を通り、長手方向に平行な線（以下、「長手方向中心線」という）に沿って二つ折りにされて陰唇間に装着される。この陰唇間パッドは、被覆シートが体液を透過させる液透過性の表面側シート及び体液を実質的に透過させない難透水性の裏面側シートで構成され、表面側シートが陰唇内奥及び陰唇内壁に接するようにして装着される。すなわち、本発明に係る陰唇間パッドは、長手方向中心線に沿って折り曲げられ、表面側シートが外側となり、裏面側シートが内側となる状態で使用される。二つ折りにされた陰唇間パッドは、折り目に沿って頂部を備えることとなり、しかも頂部の後端部に位置する裏面側シート同士が接着されることにより、この部分における頂部が鋭利形状とされる。
【００２３】
このように、後端部において、裏面側シートが剥離可能に接着されて頂部が鋭利形状とされていることによって、陰唇間パッドを陰唇間に装着する場合、陰唇間パッドを容易に陰唇間に進入させやすい。
【００２４】
なお、裏面側シートの一面であって、吸収体と接する側と反対側の面には、シート片（以下、「ミニシート片」という）を取り付け、指を挿入するためのポケットを形成してもよい。ミニシート片は、裏面側シートの一部を多い、一辺縁が開口してポケットの入り口が形成されるようにして、他辺縁部が裏面側シートに接着されるようにして形成できる。
【００２５】
（５）  前記裏面側シート同士は、着用者の動きに伴って生じる着圧により剥離可能に接着されたものである（４）に記載の陰唇間パッド。
【００２６】
本発明によれば、陰唇間パッドは、装着後に陰唇間パッドに着圧が加わることで接着された裏面側シート同士が剥離されるようになっている。このように、裏面側シートが剥離可能なように接着されていると、陰唇間パッドを陰唇間に装着する場合、陰唇間パッドを容易に陰唇間に進入させやすく、かつ、装着後の体勢変化で陰唇間パッドに着圧が加わると、裏面側シート同士が剥離し、鋭利形状が解消されるため、着用者へ異物感を与えにくい。
【００２７】
裏面側シートを剥離可能なように接着する手段としては、接着剤塗工、熱融着処理、及び噛み込み加工などがある。
【００２８】
裏面側シート同士を接着する接着剤としては、ゴム系やオレフィン系の素材を主体とした感圧型接着剤や感熱型接着剤が例として挙げられる。ゴム系の素材としては、スチレン‐エチレン‐ブチレン‐スチレンブロック共重合体（ＳＥＢＳ）、スチレン‐ブタジエン‐スチレンブロック共重合体（ＳＢＳ）、スチレン‐イソプレン‐スチレンブロック共重合体(ＳＩＳ)等が挙げられる。また、オレフィン系の素材としては、直鎖状低密度ポリエチレン等が挙げられる。これらの中でも、感熱型接着剤は、体圧により剥離された裏面側シート同士が再び接触したとしても接着されないため、特に好ましい。具体的な例としては、ＳＥＢＳを５〜２５％、脂環族飽和炭化水素を４０〜６０％、芳香族変性テルペンを１〜１０％、及び添加剤を１５〜３５％で溶融混合したものが挙げられる。
【００２９】
また、体圧からだけではなく、体液などを吸収して湿気を帯びることで剥離する接着剤を用いてもよい。湿気によって接着性が変化する接着剤としては、感水性接着剤が挙げられる。具体的には、水溶性高分子からなるポリビニルアルコール、カルボキシルメチルセルロース、もしくはゼラチン等、又は、水膨潤性高分子からなるポリビニルアセテートやポリアクリル酸ナトリウム等が挙げられる。
【００３０】
接着剤の塗工位置は後端部側の裏面側シートに塗工されていれば特に限定するものではない。また、鋭利形状とされる後端部が、表面側シートと裏面側シートで構成され、吸収体がこれらシートの間に介在されていない場合、すなわち表面側シートと裏面側シートからなる場合は、塗工位置は、表面側シートと裏面側シートとの間に介在するように設けられていることが好ましい。
【００３１】
また、二つ折りにされて向かい合う裏面側シート同士の間にも塗工位置を設けてもよい。裏面側シート同士の間にも接着剤を塗工することにより、接着剤の塗工ピッチが細かいサミットガン塗工を採用した場合でも、確実に後端部に接着剤を塗工して後端部の裏面側シート同士を接着させることができる。また、裏面側シート同士を剥離可能なように接着させるためには、接着剤の塗工量及び塗工面積を非常に小さくすることが好ましいが、接着剤の塗工量などを少なくすると、裁断時に表面側シートと裏面側シートとの間から染み出る接着剤の量も少なくなるが、裏面側シート同士の間に接着剤を塗工することにより、裏面側シート同士を確実に接着させることができる。
【００３２】
接着剤の塗工パターンは、スパイラル塗工、コントロールシーム塗工、コーター塗工、カーテンコーター塗工、及びサミットガン塗工などが挙げられる。これらの中でもサミットガン塗工は、接合部と非接合部とのピッチを細かくできるため、好ましい。接着剤の目付量は、１〜３０ｇ／ｍ２の範囲、好ましくは３〜１０ｇ／ｍ２の範囲である。この時、後端部の目付量を他の領域よりも多くして、熱融着させやすくしてあっても良い。また、接着剤が線状に塗工されているパターンとする場合は、その線径は３０〜３００μｍの範囲が好ましい。表面側シートが繊維集合体で構成されている場合において、目付量が１ｇ／ｍ２より小さい、もしくは線径が３０μｍより小さいと、表面側シートと裏面側シートとの間に塗工した接着剤が表面側シートの繊維間に埋もれてしまい、十分な接合力を得られない。一方で、目付量が３０ｇ／ｍ２より大きい、もしくは線径が３００μｍより大きければ、接着剤を塗工した周縁部が剛くなってしまう。なお、上述した接着剤の塗工パターンは、表面側シートと裏面側シートとを接着する場合に限らず、裏面側シート同士を接着する場合にも好適に適用できる。
【００３３】
（６）  前記裏面側シートは、熱融着処理または噛み込み加工されることにより、剥離可能なように接着される（５）に記載の陰唇間パッド。
【００３４】
本発明によれば、裏面側シート同士の間に、接着剤などの構成部材を介在させずに鋭利形状を構成できるため、鋭利形状を正確な位置に容易に設けることができる。
【００３５】
裏面側シート同士を熱融着により接着する例としては、熱融着可能な素材を用いて陰唇間パッドを構成し、製品をカットする際の摩擦熱を利用する方法が挙げられる。すなわち、吸収体を被覆シートで覆ったものを、カッター刃がついたロールとフラットロールとの間に通して製品形状にカットする際、カッター刃とフラットロールとの間に発生する摩擦熱によって、陰唇間パッドを構成する素材を軟化させて熱融着する。摩擦熱によって熱融着する素材としては、熱可塑性樹脂を含ませた表面側シートもしくは裏面側シートや、接着剤などが例として挙げられる。このような熱融着性の素材は、後端部のみに設けてもよく、また、後端部に他の領域より多くの熱融着性の素材を用いてもよい。さらに、後端部に、他の領域よりも軟化点が低い素材を設けてもよい。
【００３６】
接着剤の塗工によらずに、少なくとも裏面側シート同士を剥離可能なように貼りあわせる他の手段としては、陰唇間パッドを構成する素材同士の噛み込みによって裏面側シート同士を剥離可能に接着する方法が挙げられる。表面側シートと裏面側シートとで吸収体を被覆する場合を例として挙げると、表面側シートと吸収体と裏面側シートからなる陰唇間パッドを長手方向中心線で二つ折りした後、凸状エンボスロールと凹状エンボスロールとの間に後端部を通紙すると、向かいあう表面側シートと裏面側シートとが噛み込み合う。また、陰唇間パッドを二つ折りにする前に、表面側シートと裏面側シートをそれぞれエンボス加工して、その後、陰唇間パッドを二つ折りにすることで表面側シートと裏面側シートとを噛み込ませてもよい。凸状エンボスロールの凸部は例えば、高さ０．１〜２ｍｍの範囲、間隔は０．２〜１０ｍｍの範囲であり、凹状エンボスロースの凹部はこれと噛み込むような形状である。
【００３７】
（７）  前記後端部の幅が、前記前端部の幅よりも狭いものである（１）から（６）のいずれかに記載の陰唇間パッド。
【００３８】
本発明によれば、陰唇前方に接する頂部の前端部が、後端部より幅が広くなっているため、陰唇間パッドが陰唇内により確実に保持される。
【００３９】
ここで、陰唇間パッドは、陰唇間パッドに加わる陰唇間圧と、陰唇間圧によって圧縮されて働く陰唇間パッドからの圧縮反発力とが拮抗することによって、脱落せずに陰唇間に収まり続けるものである。また、小陰唇の形状は、後方に比べて前方の方が厚く長いため、前方の陰唇間圧の方が高い。そして（７）に係る陰唇間パッドでは、前端部の幅が、後端部の幅より広いため、前端部の圧縮反発力を高めて陰唇間パッドを脱落し難くできることになる。
【００４０】
（８）  前記後端部における頂部の幅は、０．５ｍｍから５ｍｍであり、前記前端部における頂部の幅は、３ｍｍから１５ｍｍである（７）に記載の陰唇間パッド。
【００４１】
本発明によれば、後端部の幅は、０．５〜５ｍｍの範囲、前端部の幅は、３〜１５ｍｍである。頂部の幅がこの範囲であれば、着用者に異物感を与えることを防止し、かつ、陰唇間パッドの圧縮反発力を高めることができる。後端部の幅は、特に１〜３ｍｍの範囲が好ましく、前端部の幅は、特に４〜１０ｍｍであることが好ましい。また、前端部の幅と後端部の幅は、不連続的に変化しても構わないが、連続的に徐々に変化するように構成する方が陰唇内壁との間に隙間が発生し難いため好ましい。
【発明の効果】
【００４２】
本発明によれば、陰唇間パッドの変形や、陰唇内を傷付けることを防止し、容易かつ確実に陰唇間パッドを装着することができる。
【発明を実施するための最良の形態】
【００４３】
以下、本発明の実施形態について、図面を参照しながら説明する。なお、以下の説明において、同一部材には同一符号を付し、説明を省略又は簡略化する。
【００４４】
＜第１実施形態＞
図１は、本発明の第１実施形態に係る陰唇間パッド１の全体斜視図である。陰唇間パッド１は、着用者の陰唇に陰唇間パッドを装着したときに陰唇前方と接する部分を前方、陰唇後方と接する部分を後方とし、図１は、この陰唇間パッド１を前方側から見た場合を示している。図２は、この陰唇間パッド１の線Ｘ−Ｘでの断面図、図３は線Ｙ−Ｙでの断面図である。
【００４５】
陰唇間パッド１は、吸収体１７と、被覆シートとしての表面側シート１５と、を備えた略枕状であり、長手方向に略半円筒形状の頂部１０が延びている。頂部１０の両側には、側部１１及び１２が設けられている。陰唇間パッド１は、頂部１０が陰唇内奥にある膣口に接するようにして陰唇間に装着され、側部１１、１２は、対向する一対の陰唇内壁のそれぞれと接する。装着状態において、頂部１０から鉛直方向下方に延びる部分は、底部１４となっており、この底部１４は陰唇からはみ出ても良い。
【００４６】
頂部１０には、前方側に位置する前端部１０ａ、及び後方側に位置する後端部１０ｂがあり、後端部１０ｂは、幅が前端部１０ａより狭く、鋭利形状をなす。つまり、図２に示す前端部１０ａにおける頂部１０の幅Ｗ１より、図３に示す後端部１０ｂの幅Ｗ２が狭い。また、前端部１０ａにおける頂部１０の角度も、後端部１０ｂへ向かって徐々に狭まっている。つまり前端部１０ａの角度θ１よりも後端部１０ｂの角度θ２が小さい。すなわち、鋭利形状とは、具体的には後端部１０ｂの幅Ｗ２が０．５〜５ｍｍの範囲、好ましくは１〜３ｍｍの範囲であることを指す。また、後端部１０ｂの角度θ２が２〜４５°、特に３〜２０°の範囲であるとさらに好ましい。
【００４７】
一方、前端部１０ａにおける頂部１０の幅Ｗ１は、３．０〜１５．０ｍｍの範囲、特に４．０〜１０．０ｍｍの範囲が好ましく、角度θ１は、３０〜１５０°、特に４０〜８０°の範囲であると好ましい。頂部１０の角度は、前端部１０ａから後端部１０ｂにかけて、段階的、つまり不連続的に変化させても構わないが、図１の陰唇間パッド１のように徐々に差を設けてある方が陰唇内壁と陰唇間パッド１の間に隙間が発生し難く好ましい。
【００４８】
ここで、頂部１０の幅及び角度の測定方法について説明する。頂部１０の幅は、図２及び図３に示すように、装着状態において鉛直方向に延びる側部１１、１２と頂部１０とが接する２点間を結ぶ線（仮想水平線）の長さをいい、具体的には、前端部１０ａについては、点Ｍ１と点Ｍ２との距離がその幅Ｗ１である。同様に、後端部１０ｂについては、点Ｎ１と点Ｎ２とを結ぶ線の長さが幅Ｗ２である。
【００４９】
頂部１０の角度は、仮想水平線に直交し、頂部１０の幅方向の中心を通って側部１１、１２に並行に延びる線（中心軸Ｃ）と頂部が交わる点から、頂部１０と側部１１、１２とが接する点（図２点Ｍ１、Ｍ２）に引いた２直線の交角であり、図２のθ１、図３のθ２である。なお、幅及び角度を測定する場合、サンプルは、陰唇間パッドを包装容器から取り出した際の自然な状態で、ほぼ無荷重で測定するものとする。
【００５０】
また、頂部１０と底部１４との幅の寸法比、つまり前方側では頂部の幅Ｗ１と、底部の幅Ｗ１´との寸法比は特に限定するものではない。しかし、頂部１０から底部１４にかけては、幅が狭くなることが好ましい。具体的には、前方の底部１４側の幅Ｗ１´は頂部１０側の幅Ｗ１と同等以下であることが好ましい。これは、陰唇は前庭床付近には小陰唇の外側に大陰唇が位置して小陰唇先端から前庭床に向かって陰唇間圧が高くなるため、この陰唇間圧の勾配に合せて圧縮反発力を変化させることによって陰唇間パッド１を脱落し難くできるためである。後方の幅Ｗ１と幅Ｗ２についても同様である。
【００５１】
なお、頂部１０の前端部１０ａとは、頂部１０の陰唇間に収まる領域、つまり陰唇内奥と接する領域における陰唇間パッド１の前方側部分を指し、陰唇間から露出する領域の頂部１０の幅及び角度に限定はない。具体的には、陰唇間から露出する頂部１０の幅は、Ｗ１やＷ１´の範囲であってもＷ２やＷ２´の範囲であってもよく、角度はθ１の範囲であってもθ２の範囲であってもよい。ただし、上述した通り、陰唇間パッド１は、頂部１０の前端部１０ａの幅が最も大きく、後方（すなわち後端部１０ｂ）及び底部１４にかけて幅が狭くなるようにし、圧縮反発力が低減するように構成することが好ましい。
【００５２】
＜第１参考形態＞
次に本発明の第１参考形態に係る陰唇間パッド２について、図４〜１１を参照して説明する。陰唇間パッド２は、平面視略平板状の吸収体２７と、この吸収体２７を被覆する表面側シート２５と、裏面側シート２６と、で構成される。本実施形態においては、被覆シートは液透過性の表面側シート２５と難透水性の裏面側シート２６とで構成される。
【００５３】
図４は、この陰唇間パッド２の前方側から見た全体斜視図で、陰唇間パッド２は、裏面側シート２７同士が接するようにして長手方向中心線に沿って二つ折りにされ、折り目に沿って陰唇間パッド２の前方から後方へ延びる頂部２０が形成される。頂部２０の両側は、陰唇間パッド２の装着状態において、陰唇内壁と接する側部２１、２２となっている。本実施形態においては、陰唇間パッド２の後方側で対向する裏面側シート２７同士は、剥離可能なように接着され、鋭利形状の後端部２０ｂが形成されている。
【００５４】
図５は、陰唇間パッド２を頂部２０側から見た平面図で、図６は、後方側から見た背面図である。図５に示すように、頂部２０は、陰唇間パッド２の後方側から前方側にかけて幅が広くなっており、後端部２０ｂのほぼ対極側に位置する部分は、陰唇前方と接する前端部２０ａとなっている。前端部２０ａより前方側は、陰唇間パッド２を装着した際、陰唇からはみ出る露出部２０ｃとなっている。
【００５５】
図７は、頂部２０の後端部２０ｂの幅方向、つまりＰ−Ｐ矢視断面図、図８は、前端部２０ａの幅方向、つまりＱ−Ｑ矢視断面図である。図７に示すように、後端部２０ｂは、表面側シート２５と裏面側シート２６との間に吸収体２７は配置されておらず、裏面側シート２６同士が接着されて幅が狭く、角度の小さい鋭利形状とされている。一方、前端部２０ａは、図８に示すように裏面側シート２６は接着されていない。
【００５６】
なお、図６において、表面側シート２５と裏面側シート２６とが接している部分は、図の上下方向に３本の平行線が示される一方、図７において、図の上下方向に４本の平行線が示されている。これは、陰唇間パッド２の表面側シート２５同士は、表面側シート２５と裏面側シート２６との間に塗工された接着剤が、裁断時に両シート間から染み出て表面側シート２５同士をも接着していることによる。すなわち、後端部２０ｂの断面図である図においては、表面側シート２５と裏面側シート２６とが積層された断面が示されているのに対し、図６においては、後端部２０ｂの端面が二つ折りにした表面側シート２５により覆われた状態の陰唇間パッド２を後方から見た場合が示されている。この陰唇間パッド２のように、後端部２０ｂの端面が表面側シート２５で覆われていることにより、表面側シート２５と裏面側シート２６との間に介在され、裁断時に染み出た接着剤が、着用者の身体と直接接触することが防止できる。
【００５７】
図９は、陰唇間パッド２の裏面側シート２６に指Ｆを添えた状態を示し、図１０は図９に示す状態の陰唇間パッド２の後端部２０ｂのＰ−Ｐ矢視断面図、図１１は前端部２０ａのＱ−Ｑ矢視断面図である。図７〜１１に示すように、指Ｆを裏面側シート２６に添えると、前端部２０ａの形状は変化するものの、後端部２０ｂは鋭利形状を保持する。なお、陰唇間パッド２の使用方法については、後に詳述する。
【００５８】
＜第２参考形態＞
さらに、第１参考形態の陰唇間パッド２の変形例である第２参考形態の陰唇間パッド３について説明する。図１２は、陰唇間パッド３の裏面シート３６側に指Ｆを添えた状態で、頂部３０側から見た平面図である。この陰唇間パッド３は、前方の裏面側シート３６に接着剤が塗工され、前方側の裏面側シート３６同士が接着されている点が陰唇間パッド２と異なる他は陰唇間パッド２と同一構成である。
【００５９】
この陰唇間パッド３は、前方側の裏面側シート３６同士が接着されているため、頂部３０の先端部３０ａの幅Ｗ３２及び角度は、陰唇間パッド３に指が添えられてもほとんど変動しない。これによって、陰唇の前方が開き難い場合であっても、陰唇間パッド３は、陰唇の前方へも進入し易く、陰唇間パッド３の前方をも適切な位置に装着することが可能となる。より具体的には、指が添えられるか否かに関わらず、前端部３０ａの幅Ｗ３２は４．０〜８．０ｍｍの範囲、角度は３０〜８０°の範囲がもっとも好ましい。
【００６０】
前端部３０ａの幅Ｗ１２及び角度を変動し難くする手段は、裏面側シート３６同士を接着することに限定されるものではないが、本実施形態のように、裏面側シート３６同士を接着する場合には、裏面側シート３６同士はエンボス加工などによる熱融着により接着することができる。裏面側シート３６同士が接着される部分としては、陰唇間パッド３の頂部３０先端部から側部３１、３２方向へ１５ｍｍ以内、好ましくは１０ｍｍ以内であり、この範囲より大きいと指で前庭床を感知しにくくなるため適切な位置へ陰唇間パッドを装着しづらくなる。
【００６１】
第１参考形態及び第２参考形態に示す例のように、裏面側シート同士を接着する場合、接着された裏面側シート同士は、着圧により剥離可能なように接着されることが好ましい。剥離可能なように裏面側シート同士を接着する方法としては、接着剤の塗工、熱融着、及び噛みこみエンボス加工などが挙げられる。
【００６２】
また、第１参考形態及び第２参考形態に示すように、略平板状の陰唇間パッドであって、二つ折り状態で使用される陰唇間パッドの裏面側シートには、ミニシート片を取り付けても良い。ミニシート片は、裏面側シートの一部を覆い、陰唇間パッドの辺縁で裏面側シートと接続されることが好ましい。このようなミニシート片を設けることにより、ミニシート片と裏面側シートとの間に、指が挿入される指挿入用口が形成され、より安定的に指に陰唇間パッドを保持することができる。
【００６３】
さらに、本発明に係る陰唇間パッドは、個別に包装容器に収容されてもよい。個々の陰唇間パッドをそれぞれ別個の包装容器（個別包装容器）に収容することにより、陰唇間パッドを衛生的に携帯及び保管することができる。
【００６４】
＜陰唇間パッドの使用方法＞
次に、本発明に係る陰唇間パッドの使用方法について説明する。図１５は、第１実施形態に係る陰唇間パッド１を、陰唇５に挿入し始めた状態を示し、図１６は、後方７の一部が開かれた陰唇５の正面図である。図１７は、陰唇間を開いて陰唇間パッド１の挿入を進めた状態を示し、図１８は、後方７から前方６にかけて広く開かれた状態の陰唇の正面図である。陰唇間パッド１は、背側に位置し、短くて薄く、開き易い陰唇後方７から陰唇間に挿入し、陰唇内壁に側部１１、１２が接する状態で、陰唇間圧と、陰唇間パッドの圧縮反発力により、陰唇間に挟持される。
【００６５】
ところで、女性が起立した状態で、大腿部側から膣口にかけて鉛直方向に延びる陰唇の深さは、個人差があるものの、平均値としては１４ｍｍ程度である。このため、陰唇間パッドは、起立した状態で大腿部側から膣口にかけて鉛直方向に延びる１４ｍｍ内の領域の陰唇内に装着される。また、陰唇間に装着される前と後で形態が変化するような陰唇間パッド、例えば、略平板状で、二つ折にされて装着されるような陰唇間パッドにおいては、長手方向中心線から両幅方向へそれぞれ１４ｍｍ内の部分が、陰唇内に狭持される。
【００６６】
また、陰唇の前方から後方にかけて延びる長さの平均値は５５ｍｍであり、膣口から前方へ５０ｍｍ、後方へ５ｍｍである。したがって、陰唇間パッドは、膣口と接する位置から、前方側では５０ｍｍ内、後方側では５ｍｍ内の部分が陰唇内に狭持される。
【００６７】
このため、陰唇間パッドは、形状に係らず、外形の延べ寸法は、長手方向４０〜１８０ｍｍが好ましく、８０〜１２０ｍｍがより好ましい。また、幅方向は２０〜１００ｍｍが好ましく、５０〜８０ｍｍであることが好ましい。なお、幅方向への延べ寸法とは、装着状態において前庭床から膣口にかけて鉛直方向へ延びる延べ寸法である。陰唇間パッドが、陰唇の長さ又は／及び幅より大きい場合、陰唇間パッドの一部が陰唇から露出するが、このような露出部（図５の２０ｃ）があっても構わない。
【００６８】
なお、陰唇間パッドの形状は、第１実施形態では略枕状で、第１及び第２参考形態では略楕円状を二つ折りにした形状であるが、これらに限定されるものではなく、女性の陰唇に適合する任意の形状であってよい。女性の陰唇に適合する他の形状としては、瓢箪型、雫型などが挙げられる。
【００６９】
次に、第１参考形態に係る陰唇間パッド２を装着する操作について説明する。図９に示すように、指Ｆを裏面側シート２６のほぼ長手方向中心軸に沿って添え、頂部２０の後端部２０ｂから陰唇後方に陰唇間パッド２を挿入する。陰唇間パッド２は、後端部２０ｂにおいて、裏面側シート２６同士は接着されていることから、図７及び図１０に示すように、後端部２０ｂの幅Ｗ２１は、指Ｆの挿入前後で変動しない。具体的には、図７及び図１０において、指Ｆが添えられるか否かに関わらず、後端部２０ｂの幅Ｗ２１は１．０〜３．０ｍｍの範囲、角度は３〜２０°の範囲とされることが好ましい。
【００７０】
このように、陰唇間パッド２の頂部２０の後端部２０ｂの形状は、指Ｆが挿入されても鋭利形状を保持するため、容易に陰唇間に挿入される。陰唇間パッド２は、陰唇後方に後端部２０ｂを挿入された後、指で陰唇前方を広げるようにして幅広の前端部２０ａが陰唇前方に挿入され、陰唇間に装着される。
【００７１】
図１９は、陰唇内に装着され、変形した状態の陰唇間パッド２を示す。陰唇内に装着された陰唇間パッド２は、側部２１、２２が陰唇内壁と接触し、頂部２０が陰唇内奥の膣口（前庭床）に接する。陰唇間パッド２の前端部２０ａに位置する裏面側シート２６同士は接着されておらず、遊離可能であり、着用者の体勢変化などにより生じる着圧によって変形可能である。このため、着用者の動きにあわせて陰唇間パッド２０は変形し、陰唇内壁に密着して経血の漏れを防止できる。また、後端部２０ｂにおいて接着された裏面側シート２６同士は、陰唇間パッド２の装着後、着用者の動きに従って生じる着圧で剥離され、陰唇の動きに追従できる。
【００７２】
一方、図１２〜１４に示す第２参考形態に係る陰唇間パッド３では、前端部３０ｂの裏面側シート３６同士が剥離可能なように接着されている。このため、頂部３０の先端部３０ａの幅Ｗ３２は、指Ｆが添えられるか否かに係らず、ほぼ一定である。この陰唇間パッド３の先端部３０ａに位置する裏面側シート３６は接着されているが、先端部３０ａの接着部分は着用者の着圧により剥離可能であることから、陰唇間パッド３の装着後、接着された裏面側シート３６同士が剥離し、陰唇の動きに追従して陰唇間パッド３はより自由に変形できる。同様に、後端部３０ｂの接着された裏面側シート３６同士も剥離可能で、陰唇間パッド３は後端部３０ｂにおいても陰唇の動きに追従できるように変形できる。
【００７３】
＜陰唇間パッドの構成材料＞
次に、本発明に係る陰唇間パッドの構成材料について説明する。
【００７４】
[吸収体]
吸収体が、着用者に異物感を与えない圧縮性を有するためには、嵩高の素材であることが好ましく、さらに型崩れし難く、化学的刺激が少ないものであることが好ましい。具体的には、吸収体は、紙、単独もしくは複合の合成繊維その他の材料を単独又は混合して構成できる。吸収体を構成する素材としては、例えば天然パルプ、化学パルプ、レーヨン、アセテート、天然コットン、高分子吸収体及び発泡体などが挙げられる。これらの素材の中でも、嵩高の素材であるという点から、物理的にエンボス加工されたレーヨンやアセテート、架橋剤により架橋させ捲縮された化学パルプ、又は複合の合成繊維などを主体的に用いると好ましい。複合の合成繊維としては、ポリエチレン（ＰＥ）、ポリプロピレン（ＰＰ）、又はポリエチレンテレフタレート（ＰＥＴ）等の樹脂の熱収縮率を利用した芯鞘タイプ、芯鞘の偏芯タイプ、又はサイドバイサイドタイプのものなどが挙げられる。また、紡糸の時点で延伸させることで分子配向を高めた繊維や、断面形状がＹ型やＣ型などの異型の繊維が混合されていても良い。また、繊維間のすべり性を高めるために油剤が繊維に塗布されている、又は含有されていても良い。
【００７５】
これらの素材を、エアレイド法、スパンレース法、抄紙法、又はメルトブローン法等によりシート状としたものを、ニードリング又はドット状、格子状、もしくは波状などのエンボスパターンのロール間を通過させてエンボス加工を施して吸収体としても良い。また、これらの吸収体には、柔軟性を得るためにスリット加工が施されていても良い。なお、エンボス面積率は、０．１〜６０％の範囲、好ましくは１〜３０％の範囲である。
【００７６】
吸収体の具体例としては、ＰＥとＰＰとが混合された芯鞘偏芯タイプの合成繊維（繊維長５１ｍｍ、繊維の捲縮率６０％で、親水油剤が０．２％付着し、繊度４．４ｄｔｅｘのもの）を５〜１００％と、レーヨン（繊維長５１ｍｍ、繊維の捲縮率５０％、親水油剤が０．２％付着し、繊度３．３ｄｔｅｘのもの）を９５〜０％の混合比で開繊し捕集した後、ドット状のエンボスパターンでエンボス加工をしたものが挙げられる。
【００７７】
[表面側シート]
表面側シートは、体液を透過させる液透過性及び液親水性を備え、肌に刺激を与えない素材で構成する。具体的には、表面側シートは、合成繊維をポイントボンド法やエアースルー法等により、単独又は複合して構成した不織布で構成できる。また、熱可塑性樹脂からなり透過孔を有するフィルムや、繊維層にフィルムがラミネート加工され透過孔を有する複合フィルムなどで表面側シートを構成してもよい。不織布を構成する繊維は、ＰＥ、ＰＰ、及びＰＥＴ等の熱可塑性樹脂を素材として各樹脂を単独、又は、芯鞘タイプ、芯鞘の偏芯タイプ、もしくはサイドバイサイドタイプの複合の繊維としたものなどが挙げられる。体液との親水性も考慮すると、不織布には、上述した合成繊維のほかに、天然パルプ、化学パルプ、レーヨン、アセテート、及び天然コットンなどのセルロース系の液親水性繊維が含まれていても良い。
【００７８】
上記の素材の中で、特に、レーヨン又はアセテートを５〜３０％、ポリエチレンテレフタレートを７０〜９５％の比率で混合した繊維を、２０〜６０ｇ／ｍ２の範囲で調整した後、水流交絡により繊維同士を絡合させて乾燥させ、厚みを０．３〜１．０ｍｍの範囲で調整したスパンレース不織布は、表面側シートとして特に好ましい。
【００７９】
[裏面側シート]
裏面側シートは、液体を透過させにくく、吸収体に保持された経血が陰唇間パッドの外へ漏れ出すことを防止できる難透水性のものを使用する。また、裏面側シートを、透湿性を備える素材で構成することにより、陰唇間パッドの装着時のムレを低減し、装着時における不快感を低減できる。
【００８０】
難透水性のシートとしては、厚さ１５〜６０μｍのＰＥ、ＰＰ、ＰＥＴ、ポリビニルアルコール、ポリ乳酸、又はポリブチルサクシネートで構成されたフィルム、不織布、紙及びこれらをラミネート加工した材料が挙げられる。また、無機フィラーを充填させて延伸処理を施すことで得られる通気性フィルムであっても良い。具体的には、低密度ポリエチレン樹脂を主体として目付１５〜３０ｇ／ｍ２の範囲で調整したフィルム、又は１０〜３０％の開孔面積率や孔径０．１〜０．６ｍｍの範囲で調整した通気性フィルムが挙げられる。不織布の例としては、スパンボンド不織布や、ポイントボンド不織布、エアースルー不織布等が挙げられ、これらに撥水処理が施されてあっても良い。なかでも極細繊維で構成され、繊維間距離が非常に小さいメルトブローンを含むＳＭＳ（スパンボンド／メルトブローン／スパンボンドの３層構成）不織布であることが好ましい。この場合、目付は５〜１５ｇ／ｍ２・１〜１０ｇ／ｍ・５〜１５ｇ／ｍ２の範囲とされることが好ましい。
【００８１】
[ミニシート片]
ミニシート片としては、表面側シートおよび裏面側シートで挙げたものであっても構わない。さらには、弾性力のある繊維（弾性繊維）の積層体、フィルム、又は空気のセルをもった発泡化した材料が利用される。弾性繊維は、ＰＥ、ＰＰ、及びＰＥＴ等の熱可塑性樹脂で構成され、各樹脂を単独もしくは芯鞘タイプ、芯鞘の偏芯タイプ、又はサイドバイサイドタイプで複合してなる繊維であり、このような繊維を機械捲縮もしくは熱等により２次捲縮が掛けられた繊維が弾性力を持ち、好ましい。弾性力と剛性による着用感を考慮すると、繊度０．５〜８．８ｄｔｅｘで繊維長３〜６４ｍｍから選ばれ、厚みを０．２〜３．０ｍｍの範囲、好ましくは０．５〜１．５ｍｍの範囲に調整したものが好ましく利用される。
【００８２】
弾性力のある繊維の積層体としては、例えば弾性繊維を用いた不織布が挙げられ、弾性繊維を用いた不織布の製法としては、エアースルー法、ポイントボンド法、スパンボンド法、及びスパンレース法などが挙げられる。特に、繊維をカードで積層し、熱可塑性繊維の溶融によりボンディングするエアースルー法で形成された不織布は、反発弾性力が得られ好適に利用される。もちろん、一般的に利用されるポイントボンド法、スパンボンド法、又はスパンレース法で製造された不織布も利用可能である。さらに、連続フィラメントを紡糸し熱エンボスでボンディングするスパンボンド不織布も利用され、スパンボンドにメルトブローンを吹き付けボンディングしたＳＭＳ不織布も利用できる。繊維積層後に表面にバインダーを塗付する事によりボンディングするケミカルボンド法やエアレイド法も不織布の製法として利用される。また、上記の素材を単一で利用したり、多層化しての接着剤やエンボスで固定したシートも利用できる。また、エンボスパターンによって反発力や厚みを調整したシートも好適に利用される。
【００８３】
また、フィルムとしては、弾性力をもつＰＥ、ＰＰ、もしくはＰＥＴ、又は高弾性をもつウレタン、もしくはゴム等の樹脂をＴダイやインフレで単一、複合、又は多層で押し出したものが挙げられる。
【００８４】
発泡化した材料としては、弾性力をもつＰＥ、もしくはＰＰ、又は高弾性をもつウレタン、もしくはゴム等の樹脂を発泡化した材料が挙げられる。さらには、吸収性を有するセルローススポンジも利用される。なお、発泡体は連続型でも独立型でも構わない。
【００８５】
[個別包装容器]
個別包装容器としては、厚さ１５〜６０μｍのＰＥ、ＰＰ、ＰＥＴ、ポリビニルアルコール、ポリ乳酸、又はポリブチルサクシネートのフィルム、不織布、紙及びこれらのラミネート材料が挙げられる。さらには、樹脂配向を高めるために延伸加工を施したフィルムが挙げられる。不織布の例としては、スパンボンド不織布や、ポイントボンド不織布、およびエアースルー不織布等が挙げられ、これらに撥水処理が施されてあっても良い。この場合、目付は５〜１５ｇ／ｍ２・１〜１０ｇ／ｍ・５〜１５ｇ／ｍ２の範囲で構成されることが好ましい。具体的には、低密度ポリエチレン樹脂を０〜８０％、高密度ポリエチレンを１００〜２０％の範囲で混合して、目付１５〜３５ｇ／ｍ２の範囲で調整したフィルムが挙げられる。
【００８６】
また、個別包装容器は、陰唇間パッドで吸収した経血の色を遮断できることが好ましく、顔料を０．２〜１０％の範囲で混合する、もしくはインキなどが印刷されていても良い。これらの陰唇間パッドや個別包装容器は、水洗可能なように水崩壊性素材や生分解性素材からなるものであってもかまわない。
【００８７】
＜陰唇間パッドの製造方法＞
次に、本発明の第２参考形態に係る陰唇間パッド３を例として、陰唇間パッドの製造方法について図２０及び図２１を用いて説明する。図２０及び図２１は、陰唇間パッド３０の一製造工程を示す模式図である。
【００８８】
陰唇間パッド３の製造の概略は以下の通りである。図２０に示すように、表面側シート３６と裏面側シート３６との間に吸収体３７を挟んだ積層体（図示せず）を、裏面側シート３６同士が向かい合うように二つ折りして搬送し、吸収体３７よりも大きくしたカッター形状に沿って積層体を切断して、裁断体３０を得る。この裁断体２０の裁断された箇所が表面側シート３５と裏面側シート３６との間から染み出る接着剤により接着され、二つ折りにされて向かい合う裏面側シート３６同士は、剥離可能なように接着された剥離可能な貼りあわせ部となる。その後、この貼りあわせ部の一部において、裏面側シート３６を剥離して、貼りあわせ部を一部、開放し、先端部３０ａ及び後端部３０ｂに位置する裏面側シート同士３６が剥離可能に接着された陰唇間パッド３を得る。
【００８９】
ここで、貼りあわせ部の一部を開放する方法について、説明する。吸収体３７辺縁から所定位置離れた位置で、積層体を裁断した後、得られた裁断体３０を２つの帯状の搬送ベルト５０で挟持して搬送する。一対の搬送ベルト５０は、裁断体３０を挟みこめるように、所定距離隔てて向かい合っている。搬送ベルト５０に狭持されて搬送される裁断体３０の一部に、ノズル５１から圧縮空気が吹き付けられ、裁断体３０の一部における裏面側シート３６同士がこの空気の風圧により剥離される。
【００９０】
空気の風圧を効率的に裁断体３０に加えるためには、ノズル５１は、貼りあわせ部に対して平行で、かつ、貼りあわせ部の真中に吹きかけられる位置に備えることが好ましい。また、ノズル５１の先端から貼りあわせ部までの距離は、１〜１００ｍｍの範囲、特に、５〜３０ｍｍの範囲が好ましい。１ｍｍより小さいと、裁断体３０が搬送途中に蛇行した場合ノズル５１に衝突して、さらに蛇行してしまう危険性があり、１００ｍｍより大きいと、空気の風圧を効率良く貼りあわせ部に加えることが出来ない。
【００９１】
ノズル５１から送出される空気の風圧は、０．０１〜５．００ＭＰａの範囲が好ましく、さらには０．１〜１．００ＭＰａの範囲が好ましい。０．０１ＭＰａより小さいと裏面側シート３６同士を剥離する力が弱く、貼りあわせ部を十分に開放できなくなり、５．００ＭＰａより大きいと裁断体３０が搬送途中に蛇行してしまう。
【００９２】
裁断体３０の貼りあわせ部は、搬送ベルト５０から露出していると、より空気の風圧が加わり易いため好ましい。具体的には、二つ折りされた裁断体３０の幅ａは、搬送ベルト５１の幅ｂより大きく、貼りあわせ部が露出する位置で挟持されることが好ましい。この場合搬送ベルトから露出する吸収シートの幅はａ−ｂ（ｍｍ）である。また、この例では、頂部３０が形成される部分は搬送ベルト５１で挟持されないため、折り目が過度に付けられることが防止でき、折り目がきつく付けられて頂部３０の剛性が増加することを防止できる。
【００９３】
このように、空気を吹き付けて裏面側シート３６同士が接着された部分を剥離させることにより、陰唇間パッド３を構成する構成部材が相互に絡み合うことを防止できる。すなわち、積層体を裁断するカッター刃は、使用を継続することにより、刃こぼれを生じ、裁断面において繊維が絡み合い、ミニシート片の繊維が裏面側シート３６の繊維と交絡し、指を挿入するための開口が開きにくいといった問題や、表面側シート３５の繊維同士が絡み合って毛羽立ちを生じるといった問題を引き起こす場合がある。そこで、上述したように、圧縮空気を吹き付けることにより、こうした問題を防止し、繊維の交絡を防止して装着し易く、また着用感に優れた陰唇間パッド３を得ることができる。
【００９４】
また、裏面側シート３６同士が接着された裁断体３０は、抵抗物と接触することにより、変形し、その衝撃で裏面側シート３６同士が剥離されるようにしてもよい。図２１は、裁断体３０を抵抗物と接触させ、裏面側シート３６同士を剥離させる例を示す。搬送ベルト５１により挟持されて搬送される裁断体３０は、搬送ベルト５１からはみ出た部分が円筒状の抵抗物５２と接触する。抵抗物５２と接触した裁断体３０の部分は、搬送ベルト５１側に押し付けられることにより、裏面側シート３６が広がる方向と垂直な方向（図２１において上下方向）に変形して剥離される。抵抗物５２は、貼りあわせ部を開放でき、かつ裁断体３０を蛇行させない程度の衝撃を与えるものであれば、特に限定するものではない。具体的には、円柱のバーや回転可能な円柱状のロール等が挙げられる。
【００９５】
このようにして前端部３０ａと後端部３０ｂとにおいて裏面側シート３６同士が剥離可能なように接着された陰唇間パッド３は、陰唇への挿入が容易であるばかりでなく、二つ折りした状態で搬送する製造工程において、安定して搬送させることができる。
【図面の簡単な説明】
【００９６】
【図１】本発明の第１実施形態に係る陰唇間パッドの斜視図である。
【図２】前記実施形態に係る陰唇間パッドの線Ｘ−Ｘでの断面図である。
【図３】前記実施形態に係る陰唇間パッドの線Ｙ−Ｙでの断面図である。
【図４】本発明の第１参考形態に係る陰唇間パッドの斜視図である。
【図５】前記形態に係る陰唇間パッドの平面図である。
【図６】前記形態に係る陰唇間パッドの背面図である。
【図７】前記形態に係る陰唇間パッドの後端部の断面図である。
【図８】前記形態に係る陰唇間パッドの前端部の断面図である。
【図９】前記形態に係る陰唇間パッドに指を当てた状態を示す図である。
【図１０】図９に示す陰唇間パッドの後端部の断面図である。
【図１１】図９に示す陰唇間パッドの前端部の断面図である。
【図１２】本発明の第２参考形態に係る陰唇間パッドに指を当てた状態の平面図である。
【図１３】図１２に示す陰唇間パッドの後端部の断面図である。
【図１４】図１２に示す陰唇間パッドの前端部の断面図である。
【図１５】第１実施形態に係る陰唇間パッドを装着する状態を示す図である。
【図１６】後方の一部が開かれた陰唇の正面図である。
【図１７】第１実施形態に係る陰唇間パッドを装着する状態を示す図である。
【図１８】前方から後方にかけて開かれた陰唇の正面図である。
【図１９】第１参考形態に係る陰唇間パッドの着用時の状態を示す図である。
【図２０】第２参考形態に係る陰唇間パッドの一製造工程を示す模式図である。
【図２１】第２参考形態に係る陰唇間パッドの一製造工程を示す模式図である。
【符号の説明】
【００９７】
１、２、３                          陰唇間パッド
１０、２０、３０                    頂部
１０ａ、２０ａ、３０ａ              先端部
１０ｂ、２０ｂ、３０ｂ              後端部
１１、１２、２１、２２、３１、３２  側部
１５、２５、３５                    表面側シート
１６、２６、３６                    裏面側シート
１７、２７、３７                    吸収体
【図１】
0004694149.tif 000002
【図２】
0004694149.tif 000003
【図３】
0004694149.tif 000004
【図４】
0004694149.tif 000005
【図５】
0004694149.tif 000006
【図６】
0004694149.tif 000007
【図７】
0004694149.tif 000008
【図８】
0004694149.tif 000009
【図９】
0004694149.tif 000010
【図１０】
0004694149.tif 000011
【図１１】
0004694149.tif 000012
【図１２】
0004694149.tif 000013
【図１３】
0004694149.tif 000014
【図１４】
0004694149.tif 000015
【図１５】
0004694149.tif 000016
【図１６】
0004694149.tif 000017
【図１７】
0004694149.tif 000018
【図１８】
0004694149.tif 000019
【図１９】
0004694149.tif 000020
【図２０】
0004694149.tif 000021
【図２１】
0004694149.tif 000022